(57)【要約】【課題】ＰＣは、移動が容易で在庫管理を行うのに多大な工数が必要になり管理自体がおろそかになり紛失という事態が容易に発生する課題があった。【解決手段】クライアントＰＣ２０の所在場所をオンラインＰＣ紛失防止システムへ転送することにより、同一地域使用ＩＰアドレスが割り振られ、クライアントＰＣ２０へ転送され表示される。クライアントＰＣ２０では、表示されたＩＰアドレスを使用して新しくネットワーク３０に接続する。そして、クライアントＰＣ２０に登録されている使用者、機種名、管理番号（任意）、場所、ＩＰアドレスがその立ち上げ時にサーバＰＣ１０へ自動転送され、ＰＣ紛失防止管理テーブルＴＢＬ１にあるかないかをチェックし、一致／不一致の旨をクライアントＰＣ２０へ表示し、不明品（在庫管理されていないＰＣ）には注意を促す。【選択図】      図１
2004171256.tif 000002
【特許請求の範囲】
【請求項１】
ネットワークに接続するクライアントコンピュータ装置の紛失防止のための情報を提供するオンラインＰＣ紛失防止システムであって、
サーバコンピュータ装置にオンラインで接続する前記クライアントコンピュータ装置の管理データを登録する管理データ登録手段と、
前記クライアントコンピュータ装置の前記管理データにおける所在場所を指定した情報により前記クライアントコンピュータ装置に与えたＩＰアドレスをもとに、前記クライアントコンピュータ装置が前記サーバコンピュータ装置へ再接続された後、前記クライアントコンピュータ装置から自動転送された前記クライアントコンピュータ装置に登録されている管理データを、前記登録済みの管理データをもとにチェックし、一致、不一致に応じた表示を前記クライアントコンピュータ装置において行わせ、前記クライアントコンピュータ装置の管理を行い、クライアントコンピュータ装置の紛失防止の情報を提供する管理手段と、
を備えたことを特徴とするオンラインＰＣ紛失防止システム。
【請求項２】
前記管理データ登録手段により登録された管理データは、前記クライアントコンピュータ装置の使用者、機種名、前記クライアントコンピュータ装置装置において入力された所在場所、ＩＰアドレスを含むことを特徴とする請求項１記載のオンラインＰＣ紛失防止システム。
【請求項３】
前記ＩＰアドレスは、前記クライアントコンピュータ装置において入力された所在場所に応じて自動的に生成されることを特徴とする請求項２記載のオンラインＰＣ紛失防止システム。
【請求項４】
前記管理データの登録、更新、削除、問い合わせを含む取り扱いをオンラインで可能にする在庫管理システムを備えていることを特徴とする請求項１から３のうちの何れか１項記載のオンラインＰＣ紛失防止システム。
【請求項５】
クライアントコンピュータ装置が、前記管理手段により管理されていないクライアントコンピュータ装置であると、そのクライアントコンピュータ装置において接続不可を表示する紛失防止画面表示システムを備えていることを特徴とする請求項１から４のうちの何れか１項記載のオンラインＰＣ紛失防止システム。
【請求項６】
前記管理手段は、前記クライアントコンピュータ装置の立ち上げ時に自動転送されたそのクライアントコンピュータ装置に登録されている管理データを、前記登録済みの管理データをもとにチェックすることを特徴とする請求項１から５のうちの何れか１項記載のオンラインＰＣ紛失防止システム。
【発明の詳細な説明】
【０００１】
【発明の属する技術分野】
本発明は、オンラインで接続されるＰＣの紛失防止のための情報を提供するオンラインＰＣ紛失防止システムに関する。
【０００２】
【従来の技術】
従来、ＰＣの在庫管理は、管理すべきＰＣを目視によりチェックしながら台帳（紙電子ファイル）にて行なっていた。このためＰＣ紛失という事態が容易に発生する。
このため、通信ネットワークに接続されたＰＣ等が盗難品として手配されている場合に、そのＰＣ等に関する登録情報を指定された所へ通知するものが提案されている（例えば、特許文献１参照）。
【０００３】
また、ＩＰアドレス設定についても欠番等の間違いが発生する場合があるが、現在ネットワークに使用されているアドレスを重複アドレス調査部で調査し、使用中アドレスデータベースに登録し、端末からのアドレス配布要求に応じて既にネットワークで使用されているアドレスと重複しないようにアドレス配布処理を行うようにしたものが提案されている（例えば、特許文献２参照）。
【０００４】
【特許文献１】
特開２０００−１０５７４５号公報
【特許文献２】
特開２００２−２３２４４９号公報
【０００５】
【発明が解決しようとする課題】
しかし、この従来技術には次のような課題があった。第１に、ＰＣは小物設備品であり、移動が多く在庫管理を行うのに多大な工数が必要になり管理自体がおろそかになりＰＣ紛失という事態が容易に発生するという課題がある。
また、ＩＰアドレス設定についてもアドレスのダブリ、欠番等の間違いが多く発生しがちであるという課題がある。
【０００６】
そこで、本発明は、ＰＣの管理を確実に行うことが出来、ＰＣ紛失を防止でき、また、ＩＰアドレス設定ミスをなくすことの可能なオンラインＰＣ紛失防止システムを提供することを目的とする。
【０００７】
【課題を解決するための手段】
本発明に係るオンラインＰＣ紛失防止システムは、サーバコンピュータ装置にオンラインで接続されたクライアントコンピュータ装置の管理データを登録する管理データ登録手段と、前記クライアントコンピュータ装置の前記管理データにおける所在場所を指定した情報により前記クライアントコンピュータ装置に与えたＩＰアドレスをもとに、前記クライアントコンピュータ装置が前記サーバコンピュータ装置へ再接続された後、前記クライアントコンピュータ装置から自動転送された前記クライアントコンピュータ装置に登録されている管理データを、前記登録済みの管理データをもとにチェックし、一致、不一致に応じた表示を前記クライアントコンピュータ装置に行わせ、前記クライアントコンピュータ装置の管理を行い、クライアントコンピュータ装置の紛失防止の情報を提供する管理手段とを備えたことを特徴とする。
【０００８】
本発明のオンラインＰＣ紛失防止システムは、サーバコンピュータ装置にオンラインで接続されたクライアントコンピュータ装置の管理データを登録し、前記クライアントコンピュータ装置の前記管理データにおける所在場所を指定した情報により前記クライアントコンピュータ装置に与えられたＩＰアドレスをもとに、前記クライアントコンピュータ装置が前記サーバコンピュータ装置へ再接続された後、前記クライアントコンピュータ装置から自動転送された前記クライアントコンピュータ装置に登録されている管理データを、前記登録済みの管理データをもとにチェックし、一致、不一致に応じた表示を前記クライアントコンピュータ装置において行い、クライアントコンピュータ装置の紛失防止の情報を提供する。
【０００９】
【発明の実施の形態】
以下、本発明の実施の一形態について説明する。
この実施の形態のオンラインＰＣ紛失防止システムは、オンラインで接続されるパーソナルコンピュータ（以下、ＰＣという）の使用者、機種名、ＰＣ固有の管理番号（任意）、場所、ＩＰアドレスなどの在庫管理データを登録し、ＰＣ立上げ時に立ち上げたそのＰＣ固有の使用者、機種名、管理番号（任意）、場所、ＩＰアドレスを前記登録済みのデータをもとにチェックし、一致したものがなければ、不明品の（管理されていない）ＰＣであることを表示し、一致したものがあれば、ＰＣ画面上に常時、使用者、機種名、管理番号（任意）、場所、ＩＰアドレスなどの在庫管理データを表示することにより、ＰＣの紛失防止の情報を提供する。そして、ＩＰアドレスは同じ場所（同じフロア、同じビル）であれば規定数値内になり、ＩＰアドレスからＰＣの所在場所を特定すること、このオンラインＰＣ紛失防止システムに接続されたＰＣから問い合わせを行うことにより、指定されたＰＣの使用者、機種名、管理番号（任意）、場所、ＩＰアドレスの情報を提供することが特徴である。
【００１０】
図１は、このオンラインＰＣ紛失防止システムが適用されるネットワーク３０を介したクライアントＰＣ２０とサーバＰＣ（管理データ登録手段）１０との接続例を示す説明図である。このオンラインＰＣ紛失防止システムでは、クライアントＰＣ２０から使用者、機種名をＷｉｎｄｏｗｓ（登録商標、Ｍｉｃｒｏｓｏｆｔ社が開発したＯＳ）から読み出し、そのＰＣ固有の管理番号（任意）、場所を入力して、ネットワーク３０を介してサーバＰＣ１０へ転送し、図４に示すＰＣ紛失防止管理テーブルＴＢＬ１、図７に示すＰＣ在庫一覧リストが作成される。このＰＣ紛失防止管理テーブルＴＢＬが在庫管理するための情報源となる。なお、前記管理番号は、図７に示すＰＣ在庫一覧リストにあらかじめＰＣごとに機種名、使用者、場所などとともに規定されている。
ネットワーク３０に接続するクライアントＰＣ２０のＩＰアドレスは場所を指定しこのオンラインＰＣ紛失防止システムへ転送することにより、図２の下限ＩＰｍｉｎアドレス≦同一地域使用ＩＰアドレス≦上限ＩＰｍａｘアドレスを満足する同一地域使用ＩＰアドレスが割り振られクライアントＰＣ２０へ転送され表示される。このクライアントＰＣ２０では、表示されたＩＰアドレスを使用して新しくネットワーク３０に接続する。
ＰＣ立上げ時には、クライアントＰＣ２０に登録されている使用者、機種名、管理番号（任意）、場所、ＩＰアドレスをサーバＰＣ１０へ自動転送しＰＣ紛失防止管理テーブルＴＢＬ１にあるかないかをチェックし、一致／不一致の旨をクライアントＰＣ２０へ表示する。そして、不明品（在庫管理されていないＰＣ）には注意を促す。
また、ＰＣ立上げ時から常時、クライアントＰＣ２０に登録されている使用者、機種名、管理番号（任意）、場所、ＩＰアドレスをクライアントＰＣ２０の画面に表示する。これにより、ＰＣ紛失防止を促す。
また、サーバＰＣ１０からこのオンラインＰＣ紛失防止システムに使用者、機種名、各部署の各ＰＣごとに割当てられた管理番号（任意）、場所、ＩＰアドレスの問い合わせ、更新、削除の処理ができる。
【００１１】
図１に示すように、この実施の形態のオンラインＰＣ紛失防止システムは、使用者、機種名（Ｗｉｎｄｏｗｓから読みだされるデータ）、場所（入力データ）、ＩＰアドレス（場所データをもとにこのオンラインＰＣ紛失防止システムで作成されるデータ）、管理番号（任意）（入力データ）のデータを作成し登録、更新、削除、問い合わせの要求を出し、その回答結果を表示するクライアント側のオンラインＰＣ紛失防止システムと、接続されるクライアントＰＣ２０と、データの送受信を行うネットワーク３０と、クライアントＰＣ２０のデータを図４のＰＣ紛失防止管理テーブルＴＢＬ１に登録し、更新、削除、問い合わせの結果を作成するサーバ側のオンラインＰＣ紛失防止システムをなすサーバＰＣ１０から構成されている。
【００１２】
ネットワーク３０の接続は、同一地域（フロア、ビル単位）内であれば規定範囲のＩＰアドレス（ＩＰグループ）で構成される。使用するＩＰアドレスは、図２の下限ＩＰｍｉｎｉアドレス≦同一地域使用ＩＰアドレス≦上限ＩＰｍａｘアドレスで作成する機能を備えている。
図５はＩＰアドレス管理テーブルＴＢＬ２の一例を示す説明図であり、このＩＰアドレス管理テーブルＴＢＬ２により、場所を示す情報からＩＰ上限値、ＩＰ下限値の範囲で現在使用しているＩＰ使用値を除いて使用可能なＩＰアドレスを割り出して作成する機能を備えている。
【００１３】
図３は、このオンラインＰＣ紛失防止システムを示すブロック図であり、サーバ側とクライアント側のオンラインＰＣ紛失防止システムからなり、クライアント側のオンラインＰＣ紛失防止システムは、接続するクライアントＰＣ２０の使用者、機種名、管理番号（任意）、場所、ＩＰアドレスの登録、更新、削除、問い合わせを受け付け、登録、更新、削除、問い合わせを含むその処理状況を表示する在庫管理システム２１を備えている。
【００１４】
サーバＰＣ１０のオンラインＰＣ紛失防止システムは、在庫管理システム２１のクライアント要求に対応し、図４のＰＣ紛失防止管理テーブルＴＢＬ１を作成、更新、削除し、問い合わせ情報をとり出す在庫管理システム（登録、更新、削除、問い合わせ）１１と、場所からＩＰアドレスを割り出すＩＰアドレス設定システム１２と、ＰＣ立上げ時に接続するＰＣの使用者、機種名、管理番号（任意）、場所、ＩＰアドレスとサーバ側のオンラインＰＣ紛失防止システムに登録されているＰＣ紛失防止管理テーブルＴＢＬ１の情報が一致するかをチェックし、その旨のメッセージを作成するＰＣ立上げ時接続確認システム１３を備えている。
【００１５】
接続するクライアントＰＣ２０は、ＰＣ立上げ時、使用者、機種名、ＩＰアドレスをＷｉｎｄｏｗｓから読み出し、場所、管理番号（任意）をファイルから取り出し、サーバＰＣ１０へ転送するＰＣ立上げ時在庫管理システム２２と、図６の紛失防止画面表示（クライアント）における場所、使用者、機種名、管理番号（任意）の表示項目２４を作成表示する紛失防止画面表示システム２３を備えている。
【００１６】
次に、図８、９、１０、１１、１２を参照し動作を詳細に説明する。
図８は、クライアント側の在庫管理システム２１の動作を示すフローチャート、図９は、ＰＣ立上げ時在庫管理システム２２の動作を示すフローチャート、図１０は、紛失防止画面表示システム２３の動作を示すフローチャート、図１１は、サーバＰＣ１０の在庫管理システム１１およびＩＰアドレス設定システム１２の動作を示すフローチャート、図１２は、ＰＣ立上げ時接続確認システム１３の動作を示すフローチャートである。
図３のクライアント側の在庫管理システム２１は、図８（ａ）に示すように、画面から要求入力を受け（ステップＳ１）、登録であれば（ステップＳ２）、在庫管理コード（登録）をサーバＰＣ１０へ送り（ステップＳ３）、更新であれば（ステップＳ４）、在庫管理コード（更新）をサーバＰＣ１０へ送り（ステップＳ５）、削除であれば（ステップＳ６）、在庫管理コード（削除）をサーバＰＣ１０へ送り（ステップＳ７）、残りは問い合わせなので在庫管理コード（問い合わせ）をサーバＰＣ１０へ送る（ステップＳ８）。また、図８（ｂ）に示すように、サーバＰＣ１０からメッセージを受け（ステップＳ１１）、このメッセージの内容が処理不可であれば（ステップＳ１２）、不可の表示を行い（ステップＳ１３）、登録であれば（ステップＳ１４）、ＩＰアドレスの表示を行い（ステップＳ１５）、問い合わせであれば（ステップＳ１６）、一覧の表示を行い（ステップＳ１７）、残りは更新、削除であるので処理済みを表示する（ステップＳ１８）。
【００１７】
図３の接続されるクライアントＰＣ２０のＰＣ立上げ時在庫管理システム２２は、図９に示すように、ＰＣ立上げ時ＩＰアドレス、使用者、機種名をＷｉｎｄｏｗｓのＯＳから読み（ステップＳ２１）、管理番号（任意）、場所をファイルから読み（ステップＳ２２）、サーバＰＣ１０へ送る（ステップＳ２３）。
【００１８】
図３のクライアントＰＣ２０の紛失防止画面表示システム２３は、図１０に示すように、サーバＰＣ１０からメッセージを受け（ステップＳ３１）、接続可かどうかチェックし（ステップＳ３２）、不可であれば接続不可のメッセージを画面に表示する（ステップＳ３３）。一方、接続可であれば図６の紛失防止画面表示のとおり場所、使用者、機種名、管理番号（任意）を表示する（ステップＳ３４）。
【００１９】
図３のサーバＰＣ１０の在庫管理システム１１は、図１１に示すように、クライアントからメッセージを受け（ステップＳ４１）、登録であれば（ステップＳ４２）、ＩＰアドレス設定システム１２が場所によりＩＰアドレス管理テーブルを検索し指定範囲のＩＰアドレスを割り振り（ステップＳ４３）、使用者、ＩＰアドレス、場所、機種名、管理番号（任意）をＰＣ紛失防止管理テーブルＴＢＬ１にセットする（ステップＳ４４）。そして、在庫管理システム１１がメッセージをクライアントへ送る（ステップＳ４５）。使用者がＰＣ紛失防止管理テーブルＴＢＬ１に登録されていて更新・削除であれば（ステップＳ４６、ステップＳ４７）、ＰＣ紛失防止管理テーブルＴＢＬ１の更新・削除を行い（ステップＳ４８）、メッセージをクライアントへ送る（ステップＳ４５）。また、登録されていて（ステップＳ４６）、更新・削除でなければ（ステップＳ４６、ステップＳ４７）、問い合わせになり指定情報を得て（ステップＳ４９）、メッセージをクライアントへ送る（ステップＳ４５）。また、登録されていなければ（ステップＳ４６）、処理不可メッセージを作成し（ステップＳ５０）、クライアントへ送る（ステップＳ４５）。
【００２０】
図３のサーバＰＣ１０のＰＣ立上げ時接続確認システム１３は、図１２に示すように、クライアントからメッセージを受け取り（ステップＳ６１）、使用者、ＩＰアドレス、場所、機種名、管理番号（任意）がＰＣ紛失防止管理テーブルＴＢＬ１にあるかチェックし（ステップＳ６２）、ＰＣ紛失防止管理テーブルＴＢＬ１にあれば処理可能メッセージをクライアントへ送る（ステップＳ６３、ステップＳ６５）。一方、ＰＣ紛失防止管理テーブルＴＢＬ１になければ処理不可メッセージをクライアントへ送る（ステップＳ６４、ステップＳ６５）。
【００２１】
以上のように、この実施の形態によれば、オンラインで接続するクライアントＰＣ２０について使用者、機種名、管理番号（任意）、場所、ＩＰアドレスなどの在庫管理データをクライアントＰＣ２０ごとに常時画面表示するためＰＣ紛失を防止できる効果がある。また、オンラインで接続許可したクライアントＰＣしかオンライン接続できないので、在庫管理されてないクライアントＰＣを摘発できる効果がある。また、オンラインにより場所を指定してＩＰアドレスが自動設定できマニュアルにより行う場合に比べＩＰアドレス設定ミスがなくなる効果がある。また、オンラインによる問い合わせ機能により現状の接続・スタンバイに関係なく稼働している状況を容易に把握できる効果がある。
【００２２】
次に、本発明の他の実施の形態について図３を参照して説明する。
この実施の形態では、クライアント側のオンラインＰＣ紛失防止システムは在庫管理システム２１を構成し、サーバＰＣ１０のオンラインＰＣ紛失防止システムは在庫管理システム１１を構成し、接続するクライアントＰＣ２０は紛失防止画面表示システム２３を構成する。
そして、前記在庫管理システム２１により管理データである使用者、場所、ＩＰアドレス、機種名、管理番号（任意）を入力し、サーバＰＣ１０の在庫管理システム１１より図４のＰＣ紛失防止管理テーブルＴＢＬ２に登録する。その管理データを接続するクライアントＰＣ２０の紛失防止画面表示システム２３により画面表示し、この画面表示によりＰＣ紛失を抑止する。
この実施の形態では、ＩＰアドレスを自動設定しない、ＰＣ立ち上げ時に在庫管理しないことで前記実施の形態と異なる。
【００２３】
【発明の効果】
本発明によれば、サーバコンピュータ装置にオンラインで接続されたクライアントコンピュータ装置の管理データを登録する管理データ登録手段と、前記クライアントコンピュータ装置の前記管理データにおける所在場所を指定した情報により前記クライアントコンピュータ装置に与えられたＩＰアドレスをもとに、前記クライアントコンピュータ装置が前記サーバコンピュータ装置へ再接続された後、前記クライアントコンピュータ装置から自動転送された前記クライアントコンピュータ装置に登録されている管理データを、前記登録済みの管理データをもとにチェックし、一致、不一致に応じた表示を前記クライアントコンピュータ装置において行い、クライアントコンピュータ装置の紛失防止の情報を提供する管理手段とを備えるように構成したので、オンラインで接続するクライアントコンピュータ装置について管理データをクライアントコンピュータ装置ごとに常時画面表示するためクライアントコンピュータ装置の紛失を防止できる効果がある。また、オンラインで接続許可したクライアントコンピュータ装置しかオンライン接続できないので、管理されてないクライアントコンピュータ装置を摘発できる効果がある。
また、オンラインにより場所を指定してＩＰアドレスが自動設定できマニュアルにより行う場合に比べＩＰアドレス設定ミスがなくなる効果がある。
また、オンラインによる問い合わせ機能により現状の接続・スタンバイに関係なく稼働している状況を容易に把握できる効果がある。
【図面の簡単な説明】
【図１】本発明の実施の一形態のオンラインＰＣ紛失防止システムが適用されるネットワーク３０を介したクライアントＰＣ２０とサーバＰＣ１０との接続例を示す説明図である。
【図２】本発明の実施の一形態のオンラインＰＣ紛失防止システムにおいて同一地域で使用するＩＰアドレスを、下限ＩＰｍｉｎｉアドレス≦同一地域使用ＩＰアドレス≦上限ＩＰｍａｘアドレスで作成する機能を示す説明図である。
【図３】本発明の実施の一形態のオンラインＰＣ紛失防止システムを示すブロック図である。
【図４】本発明の実施の一形態のオンラインＰＣ紛失防止システムのＰＣ紛失防止管理テーブルを示す説明図である。
【図５】本発明の実施の一形態のオンラインＰＣ紛失防止システムのＩＰアドレス管理テーブルの一例を示す説明図である。
【図６】本発明の実施の一形態のオンラインＰＣ紛失防止システムの紛失防止画面表示における表示項目を示す説明図である。
【図７】本発明の実施の一形態のオンラインＰＣ紛失防止システムのＰＣ在庫一覧リストの構成を示す説明図である。
【図８】本発明の実施の一形態のオンラインＰＣ紛失防止システムのクライアント側の在庫管理システムの動作を示すフローチャートである。
【図９】本発明の実施の一形態のオンラインＰＣ紛失防止システムのＰＣ立上げ時在庫管理システムの動作を示すフローチャートである。
【図１０】本発明の実施の一形態のオンラインＰＣ紛失防止システムの紛失防止画面表示システムの動作を示すフローチャートである。
【図１１】本発明の実施の一形態のオンラインＰＣ紛失防止システムのサーバＰＣの在庫管理システムおよびＩＰアドレス設定システムの動作を示すフローチャートである。
【図１２】本発明の実施の一形態のオンラインＰＣ紛失防止システムのＰＣ立上げ時接続確認システムの動作を示すフローチャートである。
【符号の説明】
１０……サーバＰＣ、１１……在庫管理システム、１２……ＩＰアドレス設定システム（管理手段）、１３……ＰＣ立上げ時接続確認システム（管理手段）、２０……クライアントＰＣ、２１……在庫管理システム、２２……ＰＣ立上げ時在庫管理システム、２３……紛失防止画面表示システム、ＴＢＬ１……ＰＣ紛失防止管理テーブル。
【図１】
2004171256.tif 000003
【図２】
2004171256.tif 000004
【図３】
2004171256.tif 000005
【図４】
2004171256.tif 000006
【図５】
2004171256.tif 000007
【図６】
2004171256.tif 000008
【図７】
2004171256.tif 000009
【図８】
2004171256.tif 000010
【図９】
2004171256.tif 000011
【図１０】
2004171256.tif 000012
【図１１】
2004171256.tif 000013
【図１２】
2004171256.tif 000014